(57)【特許請求の範囲】
【請求項１】
固着対象部材と被固着対象部材の係合孔を合わせた状態で、当該係合孔にクリップを圧入する治具であって、この治具は片手で把持可能な支持ロッドと、この支持ロッドに対し摺動可能で且つ指が挿入可能なリング部材と、前記支持ロッドに対し摺動可能で一端にクリップを押圧するブロックを備えた押圧部材とからなることを特徴とするクリップ圧入治具。
【請求項２】
請求項１に記載のクリップ圧入治具において、前記支持ロッド両端部にはリング部材が支持ロッドから外れるのを防止する抜止め部材が設けられ、少なくとも一方の抜止め部材は支持ロッドに対し着脱自在とされていることを特徴とするクリップ圧入治具。
【発明の詳細な説明】
【０００１】
【発明の属する技術分野】
本発明は、例えば自動車のフード（ボンネット）の裏面にフードインシュレータ（断熱吸音パネル）を固着するクリップ圧入治具に関する。
【０００２】
【従来の技術】
最近では、自動車のフード裏面にフードインシュレータを固着したものが普及している。そして、フード裏面にフードインシュレータを固着するには、図４に示すように、フードパネル１００の裏面の補強部材１０１に設けた係合孔１０２と、フードインシュレータ１０３に形成した係合孔１０４を合致させ、この状態で係合孔１０２、１０４に樹脂製クリップ１０５を圧入するようにしている。
【０００３】
上記の樹脂製クリップを用いた固着方法を簡単に行うため、各種の提案がなされている。例えば、実開昭６０−３４１１１号公報には、クリップの頭部を斜めにすると共に頭部の表面にドライバの先端が入り込む溝を形成している。
また、実開昭６０−１３４５７５号公報には、圧搾空気によってクリップを圧入させる工具が開示されている。
【０００４】
【発明が解決しようとする課題】
実開昭６０−３４１１１号公報のようにクリップの形状に工夫を凝らしても、作業者が直接指で圧入するのでは、指にかかる負担が大きい。またドライバなどの汎用工具を用いれば、指にかかる負担は軽減されるが、ドライバの先端をクリップの頭部に形成した小さな溝に合わせるのは、作業が面倒である。
特に自動車の組立工程は、ボディを組立ラインに沿って搬送しながら、部品を組付けて行くため、上記の作業は極めて効率が悪い。
【０００５】
また、実開昭６０−１３４５７５号公報に開示される専用の工具を用いれば作業者の指にかかる負担はなくなるが、専用の工具を必要とするためコストアップとなり、特に上記工具は圧気源を必要とするため、工具の設置箇所に制限が課せられてしまう。
【０００６】
【課題を解決するための手段】
上記課題を解決するため本発明に係るクリップ圧入治具は、片手で把持可能な支持ロッドと、この支持ロッドに対し摺動可能で且つ指が挿入可能なリング部材と、前記支持ロッドに対し摺動可能で一端にクリップを押圧するブロックを備えた押圧部材とからなる。前記指が挿入可能なリング部材としては樹脂製の弾性リング若しくはリング状に合わせることができるマジックテープ（登録商標）等が考えられる。
斯かる構成とすることで、作業者の指でクリップを直接押圧しなくて済むようになる。
【０００７】
前記支持ロッド両端部に、リング部材が支持ロッドから外れるのを防止する抜止め部材を設け、この抜止め部材の少なくとも一方を支持ロッドに対し着脱自在とすることで、リング部材を交換できる。
【０００８】
【発明の実施の形態】
以下に本発明の実施の態様を添付図面に基づいて説明する。図１は本発明に係るクリップ圧入治具の正面図、図２は同クリップ圧入治具の側面図、図３（ａ）はクリップ圧入前の状態を示す図、（ｂ）はクリップ圧入後の状態を示す図である。
【０００９】
クリップ圧入治具１は支持ロッド２、リング部材３及び押圧部材４から構成される。支持ロッド２は金属製で片手で把持しやすい太さ（５ｍｍ程度）と長さ（１０ｃｍ程度）とし、両端にはリング部材３が外れるのを防止する抜止め部材２１を着脱自在に取付けている。抜止め部材２１としては例えばビスを用いる。
尚、実施例では両端の抜止め部材２１を着脱自在にしているが一方のみを着脱自在としてもよい。
【００１０】
前記リング部材３は支持ロッド２が挿通される軸受け部３１と、この軸受け部３１に接合されたリング部３２とを備え、これら軸受け部３１及びリング部３２は樹脂材料からなる。
【００１１】
図示例では、２つのリング部材３を支持ロッド２に挿通しているが、３つまたは４つのリング部材３を挿通してもよい。また１つのリング部３２を大径にし２本以上の指を入れることができるようにしてもよい。更に、リング部３２についてはマジックテープ（登録商標）を用いてもよい。
【００１２】
前記押圧部材４は樹脂製または金属製とし、前記２つのリング部材３の間に設けられる。押圧部材４は支持ロッド２が挿通されるプレート部４１と、このプレート部４１の先端に設けられるブロック状押圧部４２からなる。
【００１３】
以上のクリップ圧入治具を用いてクリップを圧入するには、先ず、２つのリング部材３の間隔を調整して、利き腕の人差し指と薬指の第２関節と第３関節との間にリング部３２を嵌め、人差し指と中指の間に押圧部材４のプレート部４１を挟み込み、押圧部４２を手の甲側に突出させ、支持ロッド２を手の平で握る。
【００１４】
そして、図３（ａ）に示すように、断面台形状をなすフードパネル１００の裏面の補強部材１０１に設けた係合孔１０２と、フードインシュレータ１０３に形成した係合孔１０４を合致させ、この状態で係合孔１０２にクリップ５の脚部５１の先端を押し当て、更にクリップ圧入治具の押圧部４２をクリップ５の頭部５２にあてがい、図３（ｂ）に示すように、クリップ５の脚部５１を係合孔１０２、１０４に押し込みフードインシュレータ１０３を固着する。
【００１５】
尚、実施例では自動車のフードにフードインシュレータを固着する例を示したが、固着対象部材としてはフードインシュレータに限らず例えばバンパー等任意であり、また被固着対象部材としてもフードに限らず例えば補強ビーム（フレーム）等任意である。
【００１６】
【発明の効果】
以上に説明したように、本発明に係る治具を用いれば、フードインシュレータなどの固着対象部材をフード（ボンネット）などの被固着対象部材に樹脂クリップで固着するにあたり、従来のようにクリップを指先で直接押圧しないので、長時間同一作業を行っても指にかかる負担を軽減することができ、作業効率が大幅に向上する。
また、従来の空動工具と比較して、コストがかからず、クリップの形状を特殊な形状にする必要もない。
【００１７】
更に、支持ロッド両端部に設けた抜止め部材の少なくとも一方を支持ロッドに対し着脱自在とすることで、作業者の指の大きさなどに合わせて最適のリング部材を使用するために、簡単にリング部材を交換することができる。
【図面の簡単な説明】
【図１】本発明に係るクリップ圧入治具の正面図
【図２】同クリップ圧入治具の側面図
【図３】（ａ）はクリップ圧入前の状態を示す図、（ｂ）はクリップ圧入後の状態を示す図
【図４】自動車のフ−ドの裏面にフードインシュレータを取付ける状態を示した図
【符号の説明】
１…クリップ圧入治具、２…支持ロッド、３…リング部材、４…押圧部材、５…クリップ、２１…抜止め部材、３１…軸受け部、３２…リング部、４１…プレート部、４２…押圧部、５１…脚部、５２…頭部、１００…フードパネル、１０１…補強部材、１０２，１０４…係合孔、１０３…フードインシュレータ、１０５…クリップ。
【図１】
0003966700.tif 000002
【図２】
0003966700.tif 000003
【図３】
0003966700.tif 000004
【図４】
0003966700.tif 000005